(57)【要約】【課題】  装置本体に対して可動なファインダと、装置本体に固定される検出部とを備え、ファインダが何れの位置にある場合においても検出部によりファインダに対して接眼しているか否かを確実に検出することができる撮像装置を提供する。【解決手段】  装置本体２ａと、接眼した状態で被写体像を視認するためのファインダ６と、検出光を投光する投光部８ａと、前記投光部８ａから投光された後で該投光部８ａに対向する物体で反射された前記検出光を受光する受光部８ｂとを含み、前記受光部８ｂによる受光結果に基づいて前記ファインダ６に対する接眼状態を検出する検出部８とを有し、前記ファインダ６は前記装置本体２ａに対して可動に構成されており、前記検出部８は前記装置本体２ａに対して固定されている。【選択図】  図１
2011164314.tif 000002
【特許請求の範囲】
【請求項１】
装置本体と、
接眼した状態で被写体像を視認するためのファインダと、
検出光を投光する投光部と、前記投光部から投光された後で該投光部に対向する物体で反射された前記検出光を受光する受光部とを含み、前記受光部による受光結果に基づいて前記ファインダに対する接眼状態を検出する検出部と、を有し、
前記ファインダは前記装置本体に対して可動に構成されており、前記検出部は前記装置本体に対して固定されていることを特徴とする撮像装置。
【請求項２】
前記投光部から投光される前記検出光は、所定方向に最も大きい光強度を持つ指向性を有し、
前記受光部は、前記所定方向に最も大きい受光感度を持つ指向性を有し、
前記所定方向は、前記ファインダが前記可動範囲の中心位置またはその近傍にある場合の前記ファインダの接眼面に対して略直交する方向であることを特徴とする請求項１記載の撮像装置。
【請求項３】
前記検出部は、前記ファインダが該ファインダの可動範囲の中心位置にある場合より、前記可動範囲の上限位置または下限位置にある場合における前記投光部から投光される前記検出光の光強度、及び前記受光部の受光感度の少なくとも一方を大きくすることを特徴とする請求項２記載の撮像装置。
【請求項４】
前記投光部から投光される前記検出光は、所定方向に最も大きい光強度を持つ指向性を有し、
前記受光部は、前記所定方向に最も大きい受光感度を持つ指向性を有し、
前記所定方向は、前記ファインダが該ファインダの可動範囲の下限位置にある場合の前記ファインダの接眼面に対して略直交する方向であることを特徴とする請求項１記載の撮像装置。
【請求項５】
前記投光部から投光される前記検出光、及び前記受光部により受光される前記検出光の光路を変更する光路変更部材を更に有し、
前記光路変更部材は、前記ファインダと共に前記装置本体に対して可動することを特徴とする請求項４記載の撮像装置。
【請求項６】
前記光路変更部材は、前記投光部から投光される前記検出光を反射させ、且つ前記対向する物体で反射された当該検出光を前記受光部に向けて反射させる反射面を有し、
前記ファインダが前記可動範囲の上限位置に位置されている場合において、前記反射面は、前記投光部から投光され前記所定方向に進行する前記検出光を、前記ファインダの前記接眼面に対し略直交する方向に反射せしめる位置であり、且つ前記対向する物体で反射されて進行してきた当該検出光を前記受光部に入射せしめるために前記所定方向に反射せしめる位置に配置されることを特徴とする請求項５記載の撮像装置。
【請求項７】
前記検出部は、前記ファインダの前記装置本体に対する位置に基づいて、前記投光部から投光される前記検出光の光強度、及び前記受光部の受光感度の少なくとも一方を制御することを特徴とする請求項１〜請求項６の何れか一項に記載の撮像装置。
【発明の詳細な説明】
【技術分野】
【０００１】
本発明は、撮像装置に関するものである。
【背景技術】
【０００２】
投光部及び受光部を備え、投光部から投光される光の反射光成分を受光部により受光することにより、ユーザーがファインダに対して接眼状態であるか否かを検知する接眼検知ユニットが設けられ、接眼検知ユニットによりユーザーがファインダに対して接眼状態であると検知された場合に液晶表示ディスプレイを消灯するカメラが提案されている（例えば、特許文献１参照）。
【先行技術文献】
【特許文献】
【０００３】
【特許文献１】特開２００４−１８６７２１号公報
【発明の概要】
【発明が解決しようとする課題】
【０００４】
ところで、図８に示すように、ローアングル撮影時にファインダ６０を上方から視認することができるように、装置本体５０ａに対して図中矢印方向に回動可能なファインダ６０を有するカメラ５０が存在する。この場合には、ユーザーがファインダ６０に対して接眼状態であるか否かを検出する検出部５２は、投光部５２ａから投光され、ユーザーにより反射された検出光を受光部５２ｂにより確実に受光するために、ファインダ６０と共に回動可能に構成されている。したがって、ファインダのみを可動させる場合と比較して、可動部５４のサイズが大きくなっていた。また、可動部５４から可動部５４の軸を介して装置本体５０ａに導かれるファインダ用配線と検出部用配線との絡まりを防止するために、可動部５４の軸のサイズも大きくする必要があった。
【０００５】
本発明の目的は、装置本体に対して可動なファインダと、装置本体に固定される検出部とを備えることにより可動部の小型化することができ、かつファインダが何れの位置にある場合においても検出部によりファインダに対して接眼しているか否かを確実に検出することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、装置本体（２ａ）と、接眼した状態で被写体像を視認するためのファインダ（６）と、検出光（Ｌ）を投光する投光部（８ａ）と、前記投光部（８ａ）から投光された後で該投光部（８ａ）に対向する物体で反射された前記検出光（Ｌ）を受光する受光部（８ｂ）とを含み、前記受光部（８ｂ）による受光結果に基づいて前記ファインダ（６）に対する接眼状態を検出する検出部（８）とを有し、前記ファインダ（６）は前記装置本体（２ａ）に対して可動に構成されており、前記検出部（８）は前記装置本体（２ａ）に対して固定されていることを特徴とする。
【発明の効果】
【０００８】
本発明の撮像装置によれば、装置本体に対して可動なファインダと、装置本体に固定される検出部とを備えることにより可動部の小型化することができ、かつファインダが何れの位置にある場合においても検出部によりファインダに対して接眼しているか否かを確実に検出することができる。
【図面の簡単な説明】
【０００９】
【図１】第１の実施の形態に係るカメラの構成を示す斜視図である。
【図２】第１の実施の形態に係るカメラの構成を示す側面図である。
【図３】第１の実施の形態に係るカメラのシステム構成を示すブロック図である。
【図４】検出光の指向性及び受光感度の指向性について説明するための図である。
【図５】実施の形態に係るカメラにおいてファインダ及び背面液晶パネルの表示状態を制御する際の処理について説明するためのフローチャートである。
【図６】第２の実施の形態に係るカメラの構成を示す斜視図である。
【図７】第２の実施の形態に係るカメラの構成を示す側面図である。
【図８】従来のカメラの構成を示す斜視図である。
【発明を実施するための形態】
【００１０】
以下、図面を参照して、本発明の第１の実施の形態に係る撮像装置としてのカメラについて説明する。図１及び図２は、第１の実施の形態に係るカメラ２の構成を示す図であり、図１は斜視図、図２は側面図である。図１に示すように、カメラ２の上面には、撮影等を指示するレリーズボタン４、接眼した状態で撮影される被写体の被写体像を視認するための視認するファインダ６、ファインダ６に対する接眼状態を検出するアイセンサ８が設けられている。アイセンサ８は、ＬＥＤ等により構成されており、検出光を投光する投光部８ａ、及び受光素子等により構成されており、投光部８ａから投光された後で投光部８ａに対向する物体（例えばユーザー）により反射された検出光とカメラ２の周囲に存在する環境光等とを受光する受光部８ｂを備えて構成されている。
【００１１】
また、カメラ２の背面には、例えばＴＦＴパネル等により構成され、画像等を再生表示する背面液晶パネル１０、シャッタースピード等を設定するためのコマンドダイヤル１２、様々な撮影モードに切り換えるための撮影モードボタン１４、記録媒体３４（図３参照）に記録されている画像の再生表示を指示する再生ボタン１６、メニュー項目等の選択やカーソルを移動させるための十字操作キー１８、各種選択項目に対する選択確定操作を行うためのＯＫ（決定）ボタン２０が設けられている。また、図２に示すように、カメラ２の前面には、カメラ２本体に対して着脱可能に構成され、被写体からの被写体光を撮像素子３２（図３参照）に導くための撮影レンズ２２、撮影レンズ２２をカメラ２本体から取り外す際に操作されるレンズ取外しボタン２４が設けられている。
【００１２】
図３は、この実施の形態に係るカメラ２のシステム構成を示すブロック図である。図３に示すように、カメラ２は、制御部３０、撮像素子３２、記録媒体３４、操作部３６、ファインダ６、アイセンサ８、背面液晶パネル１０を備えて構成されている。
【００１３】
制御部３０は、ＣＰＵ等により構成され、カメラ２の各部を統括的に制御する。この実施の形態では、アイセンサ８の受光部８ｂによる受光結果に基づいて、ファインダ６及び背面液晶パネル１０の表示状態等を制御する。撮像素子３２は、ＣＣＤまたはＣＭＯＳ等により構成され、撮影レンズ２２を透過した被写体からの被写体光を撮像する。記録媒体３４は、カメラ２に設けられた記録媒体差込口（図示せず）に着脱可能に装着される可搬性を有する記録媒体である。記録媒体３４には、撮像素子３２から出力された撮像信号に基づき生成された画像が撮影日時、絞り値、シャッタースピード等、その他画像に関する情報と共に記録されている。操作部３６は、カメラ２の電源をオンオフする電源スイッチ（図示せず）、レリーズボタン４、コマンドダイヤル１２、撮影モードボタン１４、再生ボタン１６、十字操作キー１８、ＯＫ（決定）ボタン２０等を含んで構成されている。
【００１４】
この実施の形態では、ファインダ６は、少なくとも撮影レンズ２２を介し、撮像素子３２の撮像面上に結像したスルー画像を表示するＴＦＴパネル等により構成されている。また、ファインダ６は、図２に示すように、例えばローアングル撮影時にユーザーが上方から接眼した状態で被写体像を視認することができるように、カメラ２の装置本体２ａに対して回動可能に構成されている。具体的には、ファインダ６の接眼面が撮影レンズ２２の光軸ＡＸと略直交する位置Ｐ１を下限位置とし、ファインダ６の接眼面に対して略直交する方向が撮影レンズ２２の光軸ＡＸに対して角度θ１となる位置Ｐ２を上限位置とする可動範囲を有している。
【００１５】
また、アイセンサ８は、図１及び図２に示すように、装置本体２ａに対して固定されている。そして、図２及び図４に示すように、投光部８ａから投光される検出光は、拡散し、所定方向Ｄに最も大きい光強度を持つ指向性Ｌを有し、受光部８ｂも、所定方向Ｄに最も大きい受光感度を持つ指向性Ｓを有している。なお、所定方向Ｄは、ファインダ６が可動範囲の中心位置またはその近傍にある場合のファインダ６の接眼面に対して略直交する方向、即ち撮影レンズ２２の光軸ＡＸに対して角度θ２となる方向であり、図２及び図４に示す角度θ２≒θ３、角度θ１＝θ２＋θ３である。
【００１６】
投光部８ａから投光される検出光は、蛍光灯等から発せられる環境光と異なる所定のパルス波を有し、例えばユーザーがファインダ６を視認している場合には、投光部８ａに対向する物体、即ちユーザーにより反射され、受光部８ｂにより受光される。一方、検出光は、例えばユーザーがファインダ６を視認していない場合には、投光部８ａに対向する物体がないため、何物にも反射されることなく、受光部８ｂにより受光されない。また、検出光、及び受光部８ｂの受光感度は、図４に示すように、ファインダ６の可動範囲（下限位置Ｐ１から上限位置Ｐ２まで）より大きい指向性を有しているため、ファインダ６が下限位置Ｐ１〜上限位置Ｐ２の間の何れの位置にある場合においても、ユーザーがファインダ６を視認している際、検出光の一部は、ユーザーにより反射され、受光部８ｂにより受光される。
【００１７】
この実施の形態では、制御部３０は、ファインダ６の装置本体２ａに対する位置に基づいて、投光部８ａから投光される検出光の光強度、及び受光部８ｂの受光感度の少なくとも一方を制御する。例えば、ファインダ６がファインダ６の可動範囲の中心位置にある場合より、可動範囲の下限位置Ｐ１または上限位置Ｐ２にある場合における検出光の光強度、及び受光部８ｂの受光感度の少なくとも一方を大きくする。そして、制御部３０は、アイセンサ８の受光部８ｂによる受光結果に基づいて、ファインダ６及び背面液晶パネル１０の表示状態を制御する。以下、図５に示すフローチャートを参照して、この実施の形態に係るカメラ２においてファインダ６及び背面液晶パネル１０の表示状態を制御する際の処理について説明する。
【００１８】
まず、制御部３０は、ユーザーによりカメラ２の電源がオンされると（ステップＳ１０、Ｙｅｓ）、ファインダ６への表示をオフすると同時に（ステップＳ１１）、背面液晶パネル１０に撮像素子３２からの撮像信号に基づき生成されるスルー画や撮影情報等を表示する（ステップＳ１２）。
【００１９】
次に、制御部３０は、ファインダ６の位置を取得し、取得したファインダ６の位置に基づいて投光部８ａから投光される検出光の光強度を調整する（ステップＳ１３）。具体的には、ファインダ６がファインダ６の可動範囲の中心位置にある場合における検出光の光強度を基準としたとき、ファインダ６が下限位置Ｐ１及び上限位置Ｐ２にある場合における検出光の光強度を基準より大きくする。なお、ファインダ６がファインダ６の可動範囲の中心位置から下限位置Ｐ１または上限位置Ｐ２へ移動するにしたがい、検出光の光強度を徐々に増大させてもよい。なお、検出光の光強度の大きさを調整する代わりに、受光部８ｂの受光感度の大きさを調整することもできる。また、検出光の光強度と受光部８ｂの受光感度の大きさの両方を調整することもできる。
【００２０】
次に、制御部３０は、アイセンサ８による検出結果を取得する（ステップＳ１４）。まず、アイセンサ８の投光部８ａから検出光を投光させ、受光部８ｂにより受光される光の中に、検出光が含まれているか否かを判別する。検出光が含まれている場合には、検出光が投光部８ａに対向する物体により反射されたと判別し、ユーザーがファインダ６の接眼面に接眼している状態であると判別する（ステップＳ１５、Ｙｅｓ）。ステップＳ１５においてファインダ６の接眼面に接眼している状態であると判別された場合には（ステップＳ１５、Ｙｅｓ）、制御部３０は、ファインダ６への表示がオフされている場合にはファインダ６にスルー画や撮影情報等を表示し（ステップＳ１６）、背面液晶パネル１０にスルー画等が表示されている場合には背面液晶パネル１０への表示をオフする（ステップＳ１７）。
【００２１】
一方、制御部３０は、受光部８ｂにより受光される光の中に検出光が含まれていない場合には、投光部８ａに対向する物体が存在しないと判別し、ユーザーがファインダ６の接眼面に接眼していない状態であると判別する（ステップＳ１５、Ｎｏ）。ステップＳ１５においてファインダ６の接眼面に接眼していない状態であると判別された場合には（ステップＳ１５、Ｎｏ）、制御部３０は、ファインダ６にスルー画等が表示されている場合にはファインダ６への表示をオフし（ステップＳ１８）、背面液晶パネル１０への表示がオフされている場合には背面液晶パネル１０にスルー画や撮影情報等を表示する（ステップＳ１９）。次に、制御部３０は、ユーザーによりカメラ２の電源がオフされた否かを判別し（ステップＳ２０）、電源がオフされていないと判別された場合には（ステップＳ２０、Ｎｏ）、電源がオフされたと判別されるまで（ステップＳ２０、Ｙｅｓ）、ステップＳ１３の処理に戻り、ステップＳ１３〜Ｓ２０の処理を繰り返す。
【００２２】
第１の実施の形態に係るカメラ２によれば、装置本体２ａに対して可動なファインダ６と、装置本体２ａに固定されるアイセンサ８とを備えているため、可動する部分を小型化することができる。即ち、図８に示す従来のカメラ５０のファインダ６０及びアイセンサ５２を可動させる可動部５４より、可動する部分を小型化することができる。また、図８に示す従来のカメラ５０では、可動部５４から可動部５４の軸を介して装置本体５０ａにファインダ用配線と検出部用配線とを導く必要があり、ファインダ用配線と検出部用配線との絡まり等が懸念されていたが、第１の実施の形態に係るカメラ２では、ファインダ用配線のみを可動する部分から装置本体２ａに導けばよいため、ファインダ用配線と検出部用配線とが絡まることもない。また、ファインダ６が何れの位置にある場合においても、投光部８ａから投光される検出光がファインダ６に対して接眼するユーザーにより反射し、反射した検出光が受光部８ｂに入射するように、アイセンサ８が配置されているため、アイセンサ８によりファインダ６に対して接眼しているか否かを確実に検出することができる。
【００２３】
次に、図面を参照して、本発明の第２の実施の形態に係る撮像装置としてのカメラについて説明する。なお、第２の実施の形態に係るカメラの構成については、第１の実施の形態に係るカメラ２の構成に反射部材４０（図６及び図７参照）を追加し、第１の実施の形態に係るアイセンサ８に代えてアイセンサ８０（図６及び図７参照）を備えたものであるため、第１の実施の形態に係るカメラ２と同一の構成についてはその説明を省略する。また、第２の実施の形態に係るカメラの機能や動作については、第１の実施の形態に係るカメラ２の構成と同一の構成には同一の符号を用いてその説明を行う。
【００２４】
図６及び図７は、第２の実施の形態に係るカメラ２´の構成を示す図であり、図６は斜視図、図７は側面図である。図６及び図７に示すように、カメラ２´は、ユーザーがファインダ６に対して接眼しているか否かを検出するためのアイセンサ８０を備えている。アイセンサ８０は、ＬＥＤ等により構成されており、検出光を投光する投光部８０ａ、及び受光素子等により構成されており、投光部８０ａから投光された後で投光部８０ａに対向する物体（例えばユーザー）により反射された検出光とカメラ２の周囲に存在する環境光等とを受光する受光部８０ｂを備えて構成されている。
【００２５】
また、アイセンサ８０は、図６及び図７に示すように、装置本体２ａに対して固定されており、投光部８０ａから投光される検出光は、所定方向Ｄ２に最も大きい光強度を持つ指向性を有し、受光部８０ｂも、所定方向Ｄ２に最も大きい受光感度を持つ指向性を有している。なお、所定方向Ｄ２は、ファインダ６が下限位置Ｐ１にある場合のファインダ６の接眼面に対して略直交する方向である。
【００２６】
また、カメラ２´は、投光部８０ａから投光される検出光、及び受光部８０ｂにより受光される検出光の光路を変更する光路変更部材としての反射部材４０を備えている。反射部材４０は、アイセンサ８０及びファインダ６近傍に配置されており、ファインダ６と共に装置本体２ａに対して可動する構成を有している。また、反射部材４０は、投光部８０ａから投光される検出光を反射させ、且つ投光部８０ａに対向する物体により反射された検出光を受光部８０ｂに向けて反射させる反射面４０ａを有している。
【００２７】
反射面４０ａは、検出光を反射させる素材（検出光を吸収しない素材）、例えば鏡面等により構成されている。また、反射面４０ａは、図７に示すように、ファインダ６が上限位置Ｐ２にある場合において、投光部８０ａから投光され所定方向Ｄ２に進行する検出光を、ファインダ６の接眼面に対し略直交する方向Ｄ３に反射させ、且つ投光部８０ａに対向する物体（例えばユーザー）により反射され、ファインダ６の接眼面に対し略直交する方向Ｄ３に進行する検出光を、受光部８０ｂに入射させるために所定方向Ｄ２に反射させる位置に配置される。即ち、図７に示すように、装置本体２ａの上面に略平行する面（角度ファインダ６が下限位置Ｐ１にある場合におけるファインダ６の接眼面に対して略直交する面）に対して角度θ９傾斜させて配置されている。
【００２８】
例えばユーザーがファインダ６を視認しており、且つファインダ６が下限位置Ｐ１から可動範囲の中心位置までの何れかの位置にある場合には、投光部８０ａから投光される検出光は、物体、即ちユーザーにより反射され、受光部８ｂにより受光される。また、例えばユーザーがファインダ６を視認しており、且つファインダ６が可動範囲の中心位置から上限位置Ｐ２までの何れかの位置（可動範囲の中心位置を除く）にある場合には、投光部８０ａから投光される検出光は、反射部材４０の反射面４０ａ及び物体、即ちユーザーにより反射され、受光部８ｂにより受光される。即ち、ファインダ６が下限位置Ｐ１〜上限位置Ｐ２の間の何れの位置にある場合においても、ユーザーがファインダ６を視認している際、検出光の一部は、ユーザーにより反射され、受光部８ｂにより受光される。一方、例えばユーザーがファインダ６を視認していない場合には、検出光は、検出光を反射させる物体がないため、何物にも反射されることなく、受光部８ｂにより受光されない。
【００２９】
また、この実施の形態においても、第１の実施の形態と同様に、制御部３０は、ファインダ６の装置本体２ａに対する位置に基づいて、投光部８０ａから投光される検出光の光強度、及び受光部８０ｂの受光感度の少なくとも一方を制御する。そして、制御部３０は、アイセンサ８０から出力される検出結果に基づいて、ファインダ６及び背面液晶パネル１０の表示状態を制御する。なお、第２の実施の形態に係るカメラ２´においてファインダ６及び背面液晶パネル１０の表示状態を制御する際の処理については、第１の実施の形態に係るカメラ２での処理（図５に示すステップＳ１３を除くステップ）と同様のため、詳細な説明を省略する。
【００３０】
第２の実施の形態に係るカメラ２´によれば、第１の実施の形態に係るカメラ２における効果と同様の効果を得ることができる。また、第１の実施の形態に係るアイセンサ８が、投光部８ａから投光される検出光が装置本体２ａの上面に対して平行でない方向に射出するように構成されているのに対し、アイセンサ８０は、投光部８０ａから投光される検出光が装置本体２ａの上面に対して略平行する方向に射出するように構成されている。したがって、アイセンサ８０のサイズをアイセンサ８のサイズより小型化することができ、且つアイセンサ８０をアイセンサ８より容易に作製することができる。
【００３１】
なお、第２の実施の形態においては、光路変更部材として反射面４０ａを有する反射部材４０を例に挙げて説明したが、光路変更部材としてプリズムやミラー等を備えた場合においても本発明を適用することができる。
【００３２】
また、第２の実施の形態においては、ファインダ６の接眼面に対して略直交する方向が撮影レンズ２２の光軸ＡＸに対して角度θ１となる位置Ｐ２を上限位置とし、図７では角度θ１が９０度未満で示されているが、角度θ１を９０度に設定した場合においても本発明を適用することができる。
【００３３】
また、第２の実施の形態に係るカメラ２´（図６及び図７参照）から反射部材４０、即ち光路変更部材を取り除いた場合においても、アイセンサ８０によりファインダ６に対して接眼しているか否かを検出可能である。この場合には光路変更部材を備えている場合と比較してアイセンサ８０の検出感度は低下するが、通常は目の接近と共に顔もファインダ６に接近するため、その顔の一部の接近をとらえることができ、アイセンサ８０のみの（即ち、光路変更部材を備えない）構成であっても、ユーザーのファインダ６への接近を検出可能である。
【符号の説明】
【００３４】
２，２´…カメラ、２ａ…装置本体、４…レリーズボタン、６…ファインダ、８，８０…アイセンサ、８ａ，８０ａ…投光部、８ｂ，８０ｂ…受光部、１０…背面液晶パネル、１２…コマンドダイヤル、１４…撮影モードボタン、１６…再生ボタン、１８…十字操作キー、２０…ＯＫ（決定）ボタン、２２…撮影レンズ、２４…レンズ取外しボタン、３０…制御部、３２…撮像素子、３４…記録媒体、３６…操作部、４０…反射部材。
【図１】
2011164314.tif 000003
【図２】
2011164314.tif 000004
【図３】
2011164314.tif 000005
【図４】
2011164314.tif 000006
【図５】
2011164314.tif 000007
【図６】
2011164314.tif 000008
【図７】
2011164314.tif 000009
【図８】
2011164314.tif 000010